(57)【要約】【課題】本発明は、十分な防錆性を維持した上でアルカノールアミンなどのアミン類を含まない排水処理性に優れたノンリンス型水溶性洗浄剤組成物を提供することを目的とする。【解決手段】アミン非含有タイプのノンリンス型水溶性洗浄剤組成物であって、（１）以下の式（I）で表される化合物と（２）有機酸と（３）無機塩類と（４）無機アルカリと（５）水を含有することを特徴とするノンリンス型水溶性洗浄剤組成物を提供すること。2008133363.tif 000016（式（I）において、Ｒａ、Ｒ３、Ｙ、ｍ、及びＲｂは、請求項１に記載の通りである。）【選択図】なし【特許請求の範囲】
【請求項１】
アミン非含有タイプのノンリンス型水溶性洗浄剤組成物であって、（１）以下の式（I）で表される化合物と（２）有機酸と（３）無機塩類と（４）無機アルカリと（５）水を含有することを特徴とするノンリンス型水溶性洗浄剤組成物。
【化１】
2008133363.tif 000012
（式（I）において、Ｙは、硫黄原子、又はヒドロキシル基で置換されていてもよい以下の式（ｙ１）；
【化２】
2008133363.tif 000013
で表される基を表し、ｍは１〜３を示し、Ｒａは、ヒドロキシル基又は以下の式（a）；
【化３】
2008133363.tif 000014
（式（a）において、Ｒ１及びＲ２は、同一又は異なり、水素原子、ヒドロキシル基で置換されていてもよいアルキル基又はアリール基、或いはＲ１とＲ２は、それらの結合している炭素原子と共にカルボニル基を表す）で表され、Ｒ３は、結合、又はヒドロキシル基若しくはカルボキシル基（ＣＯＯＨ）で置換されていてもよいアルキレン基、アルケニレン基、アリーレン基、モノエーテル、又はポリエーテルを表し、Ｒｂは、水素原子、ヒドロキシル基若しくはカルボキシル基で置換されていてもよいアルキル基又はアリール基、或いは以下の式（ｂ）；
【化４】
2008133363.tif 000015
（式（ｂ）において、Ｒ４は、ヒドロキシル基若しくはカルボキシル基で置換されていてもよいアルキレン基、アルケニレン基、アリーレン基、モノエーテル基、又はポリエーテル基を表し、Ｒ５及びＲ６は、同一又は異なり、水素原子、ヒドロキシル基で置換されていてもよいアルキル基又はアリール基、或いはＲ５とＲ６はそれらの結合している炭素原子と共にカルボニル基を表す。但し、Ｒｂが水素原子を表す時、Ｙは式（ｙ１）で表される基を示す。）
【請求項２】
（１）（I）で表される化合物を１〜２０重量％、（２）有機酸を１〜２０重量％、（３）無機塩類を０．１〜１０重量％、（４）無機アルカリを次のｐＨに調整する量、（５）水を含有し、かつ３重量％水溶液のｐＨが８〜１２．５である、請求項１に記載のノンリンス型水溶性洗浄剤組成物。
【請求項３】
式（I）で表される化合物の炭素数が４〜１５である、請求項１〜２に記載のノンリンス型水溶性洗浄剤組成物。
【請求項４】
前記有機酸が、カルボン酸及び／又はスルホン酸である、請求項１〜２に記載のノンリンス型水溶性洗浄剤組成物。
【請求項５】
前記有機酸の炭素数が６〜２２である、請求項１〜２又は４に記載のノンリンス型水溶性洗浄剤組成物。
【請求項６】
前記無機塩類がケイ酸塩、リン酸塩、ホウ酸塩、炭酸塩からなる群より選ばれる少なくとも１種である、請求項１〜２に記載のノンリンス型水溶性洗浄剤組成物。
【発明の詳細な説明】
【技術分野】
【０００１】
本発明は、自動車、機械、車輛、造船、弱電、その他の産業における鉄鋼、鋳鉄及び非鉄金属の各種部品類の生産加工現場において、洗浄後に水洗工程を含まない中間あるいは最終洗浄で用いられるノンリンス型水溶性洗浄剤に関し、特に、排水処理の負荷を低減した水溶性洗浄剤を提供することに関する。
【背景技術】
【０００２】
従来、金属・機械類の生産加工現場において用いられる洗浄剤のうち、洗浄後に水洗などのリンス工程を含まない場合は洗浄後の一時防錆が要求される。防錆基剤としてはホウ酸塩、リン酸塩などの無機系の物質や脂肪酸、アルカノールアミンなどの有機系の物質があるが、無機物質は洗浄後に粉状の残渣となり後工程で塗装不良などの問題の原因となるため、配合できる量に限りがある。
【０００３】
また、アルカノールアミン、グリコールエーテル、ポリオキシエチレンポリオキシプロピレンブロックポリマー、炭素数６〜１２の脂肪酸、炭素数６〜１８のジカルボン酸、水からなるリンス不要洗浄剤（特許文献１）が提案されている。しかし、有機系の防錆基剤としてよく用いられるアルカノールアミンは分子内に窒素を含むため、その廃液が富栄養化の原因となる問題がある。
【０００４】
一方、富栄養化の原因となるリンの除去は、経済性、処理効率等の観点から凝集剤を用いて難溶性のリン酸塩としてリン成分を除去する凝集沈殿法が一般的であり、大きな問題にはなっていない。窒素は、凝集沈殿法では除去低減することが非常に難しく、一般的には生物的処理が行われているが、先ずアンモニア態窒素を硝酸態窒素に変換する硝化工程と、硝酸態窒素を窒素ガスに変換する脱窒工程の２つの工程により行われるため、２つの反応槽が必要となると共に、処理時間が遅いため、処理効率が低くなる問題がある。また、該生物的処理では、脱窒素細菌を保有するために大容量の嫌気槽が必要となり、設備建設コストの高騰、装置設置面積の拡大を招く問題もある。更に、該脱窒素細菌は、周囲の温度環境、被処理水中に含まれる成分などに著しく影響されるため、特に温度が低くなる冬場になると、活動が低下して脱窒素作用が低下し、処理効率が不安定となる問題もある。以上のような理由から窒素を多く含有しているアミンを含まないノンリンス型の水溶性洗浄剤が求められてきた。
【０００５】
また、特許文献２ではイオウ原子含有カルボン酸の水溶性塩からなる界面活性剤、及び該界面活性剤を含有する水溶性脱脂洗浄剤が提案されている。しかし、水溶性の塩として無機塩類を用いた場合では鉄系金属に対し、腐食防止効果、防錆力がない問題があり、洗浄力も十分ではなかった。
【０００６】
【特許文献１】特開平８−３４９９１号公報
【特許文献２】特開平６−３２２３９１号公報
【発明の開示】
【発明が解決しようとする課題】
【０００７】
本発明の目的は、十分な防錆性を維持した上でアルカノールアミンなどのアミン類を含まない排水処理性に優れたノンリンス型水溶性洗浄剤組成物を提供することである。
【課題を解決するための手段】
【０００８】
本発明者は、上記目的を達成すべく鋭意研究を重ねた結果、特定の硫黄系化合物と有機酸と無機塩類と無機アルカリを組みあわせることで上記目的を達成できることを見出し、本発明を完成するに至った。
【０００９】
即ち、本発明は洗浄後に水洗工程を含まないノンリンス型水溶性洗浄剤に関し、特に、排水処理の負荷を低減させるためにアミン類を含まない以下に示す洗浄剤を提供することに関する。
【００１０】
１．アミン非含有タイプのノンリンス型水溶性洗浄剤組成物であって、（１）以下の式（I）で表される化合物と（２）有機酸と（３）無機塩類と（４）無機アルカリと（５）水を含有することを特徴とするノンリンス型水溶性洗浄剤組成物。
【００１１】
【化１】
2008133363.tif 000002
【００１２】
（式（I）において、Ｙは、硫黄原子、又はヒドロキシル基で置換されていてもよい以下の式（ｙ１）；
【００１３】
【化２】
2008133363.tif 000003
【００１４】
で表される基を表し、ｍは１〜３を示し、Ｒａは、ヒドロキシル基又は以下の式（a）；
【００１５】
【化３】
2008133363.tif 000004
【００１６】
（式（a）において、Ｒ１及びＲ２は、同一又は異なり、水素原子、ヒドロキシル基で置換されていてもよいアルキル基又はアリール基、或いはＲ１とＲ２は、それらの結合している炭素原子と共にカルボニル基を表す）で表され、Ｒ３は、結合、又はヒドロキシル基若しくはカルボキシル基（ＣＯＯＨ）で置換されていてもよいアルキレン基、アルケニレン基、アリーレン基、モノエーテル、又はポリエーテルを表し、Ｒｂは、水素原子、ヒドロキシル基若しくはカルボキシル基で置換されていてもよいアルキル基又はアリール基、或いは以下の式（ｂ）；
【００１７】
【化４】
2008133363.tif 000005
【００１８】
（式（ｂ）において、Ｒ４は、ヒドロキシル基若しくはカルボキシル基で置換されていてもよいアルキレン基、アルケニレン基、アリーレン基、モノエーテル基、又はポリエーテル基を表し、Ｒ５及びＲ６は、同一又は異なり、水素原子、ヒドロキシル基で置換されていてもよいアルキル基又はアリール基、或いはＲ５とＲ６はそれらの結合している炭素原子と共にカルボニル基を表す。但し、Ｒｂが水素原子を表す時、Ｙは式（ｙ１）で表される基を示す。）
【００１９】
２.（１）（I）で表される化合物を１〜２０重量％、（２）有機酸を１〜２０重量％、（３）無機塩類を０．１〜１０重量％、（４）無機アルカリを次のｐＨに調整する量、（５）水を含有し、かつ３重量％水溶液のｐＨが８〜１２．５である、項１に記載のノンリンス型水溶性洗浄剤組成物。
【００２０】
３．式（I）で表される化合物の炭素数が４〜１５である、項１〜２に記載のノンリンス型水溶性洗浄剤組成物。
【００２１】
４．前記有機酸が、カルボン酸及び／又はスルホン酸である、項１〜２に記載のノンリンス型水溶性洗浄剤組成物。
【００２２】
５．前記有機酸の炭素数が６〜２２である、項１〜２又は４に記載のノンリンス型水溶性洗浄剤組成物。
【００２３】
６．前記無機塩類がケイ酸塩、リン酸塩、ホウ酸塩、炭酸塩からなる群より選ばれる少なくとも１種である、項１〜２に記載のノンリンス型水溶性洗浄剤組成物。
【発明の効果】
【００２４】
本発明の洗浄剤組成物は、富栄養化の原因となる窒素を多く含むアミン類を含まないことによって、排水処理の負荷が低減でき、環境への影響も低減することができる。
【発明を実施するための最良の形態】
【００２５】
以下、本発明を詳細に説明する。本発明に用いる硫黄系化合物は以下の式（I）：
【００２６】
【化５】
2008133363.tif 000006
【００２７】
（式（I）において、Ｙは、硫黄原子、又はヒドロキシル基で置換されていてもよい以下の式（ｙ１）；
【００２８】
【化６】
2008133363.tif 000007
【００２９】
で表される基を表し、ｍは１〜３を示し、Ｒａは、ヒドロキシル基又は以下の式（a）；
【００３０】
【化７】
2008133363.tif 000008
【００３１】
（式（a）において、Ｒ１及びＲ２は、同一又は異なり、水素原子、ヒドロキシル基で置換されていてもよいアルキル基又はアリール基、或いはＲ１とＲ２は、それらの結合している炭素原子と共にカルボニル基を表す）で表され、Ｒ３は、結合、又はヒドロキシル基若しくはカルボキシル基（ＣＯＯＨ）で置換されていてもよいアルキレン基、アルケニレン基、アリーレン基、モノエーテル、又はポリエーテルを表し、Ｒｂは、水素原子、ヒドロキシル基若しくはカルボキシル基で置換されていてもよいアルキル基又はアリール基、或いは以下の式（ｂ）；
【００３２】
【化８】
2008133363.tif 000009
【００３３】
（式（ｂ）において、Ｒ４は、ヒドロキシル基若しくはカルボキシル基で置換されていてもよいアルキレン基、アルケニレン基、アリーレン基、モノエーテル基、又はポリエーテル基を表し、Ｒ５及びＲ６は、同一又は異なり、水素原子、ヒドロキシル基で置換されていてもよいアルキル基又はアリール基、或いはＲ５とＲ６はそれらの結合している炭素原子と共にカルボニル基を表す。但し、Ｒｂが水素原子を表す時、Ｙは式（ｙ１）で表される基を示す。）で表される化合物である。
【００３４】
上記Ｒ１及びＲ２で示されるアルキル基は、直鎖又は分枝を有してもよく、ヒドロキシル基で置換されていてもよい。このようなＲ１及びＲ２で表されるアルキル基の具体的な例としては、メチル基、エチル基、プロピル基、ブチル基、ペンチル基が挙げられるが、これらに限定されるのではなく、またこれらの基は、ヒドロキシル基で置換されていてもよい。Ｒ１及びＲ２で示されるアリール基としては、例えばフェニル基が挙げられるが、これに限定されるのではなく、この基は、ヒドロキシル基で置換されていてもよい。
【００３５】
上記Ｒ３及びＲ４で示されるアルキレン基、アルケニレン基、アリーレン基、モノエーテル、又はポリエーテルは、直鎖状であっても分枝を有してもよく、ヒドロキシル基又はカルボキシル基で置換されていてもよい。また、Ｒ３及びＲ４で示されるこれらの基の炭素数は、１〜１２であることが好ましく、より好ましくは、１〜４である。Ｒ３及びＲ４で示されるアルキレン基の例としては、メチレン基、エチレン基、プロピレン基、ブチレン基、ペンチレン基、ヘキシレン基、ヘプチレン基、オクチレン基、ノニレン基、デシレン基が挙げられ、アルケニレン基の例としては、ビニレン基、プロペニレン基、ブタジエニレン基等が挙げられ、アリーレン基の例としては、フェニレン、ナフチレン、アントリレン、フェナントリレン等が挙げられるが、これらに限定されるのではない。Ｒ３及びＲ４で示されるモノエーテルの具体的な例としては、−Ｃ２Ｈ４Ｏ−ＣＨ２−、−Ｃ３Ｈ６Ｏ−Ｃ２Ｈ４−、−Ｃ４Ｈ８Ｏ−Ｃ３Ｈ６−等が挙げられ、ポリエーテルの具体例としては、−（Ｃ２Ｈ４Ｏ）ｎ−ＣＨ２−（ｎ＝２〜５）、−（Ｃ３Ｈ６Ｏ）ｎ−Ｃ２Ｈ４−（ｎ＝２〜３）等が挙げられるが、これらに限定されるのではない。
【００３６】
上記Ｒ５及びＲ６で表されるアルキル基は、直鎖又は分枝を有してもよく、ヒドロキシル基で置換されていてもよい。このようなＲ５及びＲ６で表されるアルキル基の具体的な例としては、メチル基、エチル基、プロピル基、ブチル基、ペンチル基が挙げられるが、これらに限定されるのではなく、またこれらは、ヒドロキシル基で置換されていてもよい。Ｒ５及びＲ６で示されるアリール基としては、例えば、フェニル基が挙げられるが、これに限定されるのではなく、またこの基はヒドロキシル基で置換されていてもよい。
【００３７】
上記Ｒｂで表されるアルキル基は、直鎖又は分枝を有してもよく、ヒドロキシル基又はカルボキシル基で置換されていてもよい。このようなアルキル基の具体的な例としては、メチル基、エチル基、プロピル基、ブチル基、ペンチル基、ヘキシル基、ヘプチル基、オクチル基、２エチルヘキシル基、ノニル基、デシル基、ウンデシル基、ドデシル基等が挙げられるが、これらに限定されるのではない。上記Ｒｂで表されるアルケニル基としては、例えば、ビニル基、プロペニル基等が挙げられるが、これらに限定されるのではない。上記Ｒｂで表されるアリール基としては、例えば、フェニル基、ベンジル基、トルイル基、エチルフェニル基、スチリル基、ｔｅｒｔ−ブチルフェニル基、ナフチル基、アントリル基等が挙げられるが、これらに限定されるのではなく、これらの基は、ヒドロキシル基又はカルボキシル基で置換されていてもよい。
【００３８】
このような式（I）で表される化合物が、モノカルボン酸である場合、当該モノカルボン酸の炭素数は７〜１５である。また、式（I）で示される化合物が、ジカルボン酸である場合、当該ジカルボン酸の炭素数は６〜１４である。これは、炭素数が、上記の範囲よりも小さいと防錆力が弱く、又炭素数が、上記範囲よりも大きいと水への溶解度が低くなり、結果として十分な防錆力が得られないためである。
【００３９】
このような式（I）で表される化合物が、カルボン酸である場合の具体的な例としては、ｎ−ペンチルチオグリコール酸、ｎ−ヘキシルチオグリコール酸、シクロヘキシルチオグリコール酸、ｎ−ヘプチルチオグリコール酸、ｎ−オクチルチオグリコール酸、２−エチルヘキシルチオグリコール酸、ｎ−ノニルチオグリコール酸、ｎ−デシルチオグリコール酸、ｎ−ウンデシルチオグリコール酸、ｎ−ドデシルチオグリコール酸、４−ｔｅｒｔ−ブチルベンジルチオグリコール酸、フェニルエチルチオグリコール酸、フェニルチオグリコール酸、ｎ−ブチルチオプロピオン酸、ｎ−ペンチルチオプロピオン酸、ｎ−ヘキシルチオプロピオン酸、シクロヘキシルチオプロピオン酸、ｎ−ヘプチルチオプロピオン酸、ｎ−オクチルチオプロピオン酸、２−エチルヘキシルチオプロピオン酸、ｎ−ノニルチオプロピオン酸、ｎ−デシルチオプロピオン酸、ｎ−ウンデシルチオプロピオン酸、ｎ−ドデシルチオプロピオン酸、４−ｔｅｒｔ−ブチルベンジルチオプロピオン酸、フェニルエチルチオプロピオン酸、フェニルチオプロピオン酸、ｎ−ブチルチオ乳酸、ｎ−ペンチルチオ乳酸、ｎ−ヘキシルチオ乳酸、シクロヘキシルチオ乳酸、ｎ−ヘプチルチオ乳酸、ｎ−オクチルチオ乳酸、２−エチルヘキシルチオ乳酸、ｎ−ノニルチオ乳酸、ｎ−デシルチオ乳酸、ｎ−ウンデシルチオ乳酸、ｎ−ドデシルチオ乳酸、４−ｔｅｒｔ−ブチルベンジルチオ乳酸、フェニルエチルチオ乳酸、フェニルチオ乳酸、ｎ−プロピルチオブタン酸、ｎ−ブチルチオブタン酸、ｎ−ペンチルチオブタン酸、ｎ−ヘキシルチオブタン酸、シクロヘキシルチオブタン酸、ｎ−ヘプチルチオブタン酸、ｎ−オクチルチオブタン酸、２−エチルヘキシルチオブタン酸、ｎ−ノニルチオブタン酸、ｎ−デシルチオブタン酸、ｎ−ウンデシルチオブタン酸、４−ｔｅｒｔ−ブチルベンジルチオブタン酸、フェニルエチルチオブタン酸、フェニルチオブタン酸、ｎ−エチルチオペンタン酸、ｎ−プロピルチオペンタン酸、ｎ−ブチルチオペンタン酸、ｎ−ペンチルチオペンタン酸、ｎ−ヘキシルチオペンタン酸、シクロヘキシルチオペンタン酸、ｎ−ヘプチルチオペンタン酸、ｎ−オクチルチオペンタン酸、２−エチルヘキシルチオペンタン酸、ｎ−ノニルチオペンタン酸、ｎ−デシルチオペンタン酸、フェニルエチルチオペンタン酸、フェニルチオペンタン酸、ｎ−メチルチオヘキサン酸、ｎ−エチルチオヘキサン酸、ｎ−プロピルチオヘキサン酸、ｎ−ブチルチオヘキサン酸、ｎ−ペンチルチオヘキサン酸、ｎ−ヘキシルチオヘキサン酸、シクロヘキシルチオヘキサン酸、ｎ−ヘプチルチオヘキサン酸、ｎ−オクチルチオヘキサン酸、２−エチルヘキシルチオヘキサン酸、ｎ−ノニルチオヘキサン酸、フェニルエチルチオヘキサン酸、フェニルチオヘキサン酸、ｎ−メチルチオヘプタン酸、ｎ−エチルチオヘプタン酸、ｎ−プロピルチオヘプタン酸、ｎ−ブチルチオヘプタン酸、ｎ−ペンチルチオヘプタン酸、ｎ−ヘキシルチオヘプタン酸、シクロヘキシルチオヘプタン酸、ｎ−ヘプチルチオヘプタン酸、ｎ−オクチルチオヘプタン酸、２−エチルヘキシルチオヘプタン酸、フェニルエチルチオヘプタン酸、フェニルチオヘプタン酸、ｎ−メチルチオオクタン酸、ｎ−エチ��チオオクタン酸、ｎ−プロピルチオオクタン酸、ｎ−ブチルチオオクタン酸、ｎ−ペンチルチオオクタン酸、ｎ−ヘキシルチオオクタン酸、シクロヘキシルチオオクタン酸、ｎ−ヘプチルチオオクタン酸、フェニルチオオクタン酸、ｎ−メチルチオノナン酸、ｎ−エチルチオノナン酸、ｎ−プロピルチオノナン酸、ｎ−ブチルチオノナン酸、ｎ−ペンチルチオノナン酸、ｎ−ヘキシルチオノナン酸、シクロヘキシルチオノナン酸、フェニルチオノナン酸、ｎ−メチルチオデカン酸、ｎ−エチルチオデカン酸、ｎ−プロピルチオデカン酸、ｎ−ブチルチオデカン酸、ｎ−ペンチルチオデカン酸、ｎ−メチルチオウンデカン酸、ｎ−エチルチオウンデカン酸、ｎ−プロピルチオウンデカン酸、ｎ−ブチルチオウンデカン酸、ｎ−メチルチオドデカン酸、ｎ−エチルチオドデカン酸、ｎ−プロピルチオドデカン酸、ｎ−メチルチオトリデカン酸、ｎ−エチルチオトリデカン酸、ｎ−メチルチオテトラデカン酸、２−メチルチオ安息香酸、４−メチルチオ安息香酸、２−エチルチオ安息香酸、４−エチルチオ安息香酸、２−プロピルチオ安息香酸、４−プロピルチオ安息香酸、２−ブチルチオ安息香酸、４−ブチルチオ安息香酸、２−ペンチルチオ安息香酸、４−ペンチルチオ安息香酸、２−ヘキシルチオ安息香酸、４−ヘキシルチオ安息香酸、２−ヘプチルチオ安息香酸、４−ヘプチルチオ安息香酸、２−オクチルチオ安息香酸、４−オクチルチオ安息香酸及びチオジプロピオン酸、チオジブタン酸、チオジペンタン酸、チオジヘキサン酸、３−チアオクタンニ酸、４−チアオクタンニ酸、３−チアノナンニ酸、４−チアノナンニ酸、３−チアデカンニ酸、４−チアデカンニ酸、５−チアデカンニ酸、３−チアウンデカンニ酸、４−チアウンデカンニ酸、５−チアウンデカンニ酸、３−チアドデカンニ酸、４−チアドデカンニ酸、５−チアドデカンニ酸、６−チアドデカンニ酸、３−チアテトラデカン二酸、４−チアペンタデカン二酸、４，８−ジチアドデカン二酸、メチルチオりんご酸、エチルチオりんご酸、ｎ−プロピルチオりんご酸、イソプロピルチオりんご酸、ｎ−ブチルチオりんご酸、ｔ−ブチルチオりんご酸、ｎ−ペンチルチオりんご酸、ｎ−ヘキシルチオりんご酸、シクロヘキシルチオりんご酸、フェニルチオりんご酸、ｎ−ペンチルチオりんご酸、ｎ−オクチルチオりんご酸、２−エチルヘキシルチオりんご酸、ｎ−ノニルチオりんご酸、ｎ−デシルチオりんご酸、２−チオフェンカルボン酸、３−チオフェンカルボン酸、２，５−チオフェンジカルボン酸、２−チエニル酢酸、３−チエニル酢酸、３−（２−チエニル）プロピオン酸、３−（２−チエニル）ブタン酸、２−ヒドロキシチオアニソール、４−メチルチオフェノール、（４，４’−ジヒドロキシ）ジフェニルチオエーテル等が挙げられるが、これらに限定されるのではない。これらの有機物質は、１種類のみを用いてもよく、また、２種類以上を適宜併用してもよい。
【００４０】
また、上記式（I）で表されるチオエーテルを含む化合物がアルコールである場合、当該アルコールの炭素数は４〜１５である。このようなアルコールの具体的な例としては、チオジエタノール、チオジプロパノール、チオジブタノール、チオジペンタノール、３，６−ジチア−１，８−オクタンジオール、メチルチオグリセリン、エチルチオグリセリン、ｎ−プロピルチオグリセリン、イソプロピルチオグリセリン、ｎ−ブチルチオグリセリン、ｔ−ブチルチオグリセリン、ｎ−ヘキシルチオグリセリン、シクロヘキシルチオグリセリン、フェニルチオグリセリン、ｎ−ペンチルチオグリセリン、ｎ−オクチルチオグリセリン、２−エチルヘキシルチオグリセリン、ｎ−ノニルチオグリセリン、ｎ−デシルチオグリセリン、ｎ−ウンデシルチオグリセリン、ｎ−ドデシルチオグリセリン、２−チオフェンメタノール、３−チオフェンメタノール、エチルチオエタノール、エチルチオプロパノールが挙げられるが、これらに限定されるのではない。これらの有機物質は、１種類のみを用いてもよく、また、２種類以上を適宜併用してもよい。
【００４１】
このような式（I）で表される化合物として、モノカルボン酸、ジカルボン酸又はアルコールが挙げられるが、２種類以上を適宜併用してもよい。
【００４２】
以上、式（I）で表される化合物の炭素数は４〜１５であり、好ましくは４〜９である。
【００４３】
本発明のノンリンス型水溶性洗浄剤組成物において、上記式（I）で表される化合物、無機塩類、無機アルカリと併用される有機酸は、通常、金属腐食抑制の用途に用いられる有機酸が使用できる。また、前記有機酸は、炭素数６〜２２であることが好ましく、飽和又は不飽和であり、直鎖状、分枝鎖状、又は環状の何れの構造を有してもよい。このような有機酸の例としては、カプロン酸、エナント酸、カプリル酸、２−エチルヘキサン酸、ペラルゴン酸、カプリン酸、ウンデシル酸、ラウリン酸、トリデカン酸、ミリスチン酸、ペンタデカン酸、パルミチン酸、ヘプタデカン酸、ステアリン酸、ノナデカン酸、ネオデカン酸、アラキン酸、ベヘン酸、リグノセリン酸、セロチン酸、ヘプタコサン酸、モンタン酸、メリシン酸及びラクセル酸等の飽和脂肪酸、ウンデシレン酸、オレイン酸、エライジン酸、セトレイン酸、エルカ酸、ブラシジン酸、ソルビン酸、リノール酸、リノレン酸、アラキドン酸、リシノール酸及びステアロール酸等の不飽和脂肪酸、安息香酸、トルイル酸、エチル安息香酸及びｐ−ｔｅｒｔ−ブチル安息香酸等の芳香族脂肪酸、ドデカン二酸、セバシン酸、アジピン酸、スベリン酸及びアゼライン酸等の二塩基酸、ナフタレンスルホン酸、ドデシルベンゼンスルホン酸、石油スルホン酸等のスルホン酸が挙げられるが、これらに限定されるのではない。これらの有機酸は、１種類のみを用いてもよく、また２種類以上を適宜混合してもよい。
【００４４】
本発明のノンリンス型水溶性洗浄剤組成物において、上記式（I）で表される化合物、有機酸、無機アルカリと併用される無機塩類は、通常、洗浄剤用途で用いられる無機塩類が使用できる。このような無機塩類の例としてはオルトケイ酸ナトリウム、メタケイ酸ナトリウム、１号ケイ酸カリウム等に代表されるケイ酸塩、リン酸ナトリウム、ピロリン酸カリウム、トリポリリン酸ナトリウム等に代表されるリン酸塩、メタホウ酸カリウム、ホウ砂等に代表されるホウ酸塩、炭酸ナトリウム、炭酸水素ナトリウム等に代表される炭酸塩が挙げられるがこれらに限定されるのではない。これらの無機塩類は、１種類のみを用いてもよく、また２種類以上を適宜混合してもよい。
【００４５】
本発明のノンリンス型水溶性洗浄剤組成物において、上記式（I）で表される化合物、有機酸、無機塩類と併用される無機アルカリは、水酸化リチウム、水酸化ナトリウム、水酸化カリウム等が使用できる。
【００４６】
本発明のノンリンス型水溶性洗浄剤組成物において、式（I）で表される化合物の配合割合は、好ましくは、１〜２０重量％であり、より好ましくは、３〜１０重量％である。配合割合が１重量％より少ないと十分な防錆力が得られない。また、配合割合が２０重量％より多いと経済的に好ましくなく、またモノカルボン酸、ジカルボン酸の場合は塩となるｐＨ調整用の無機アルカリの量が多くなり、被洗浄物表面に金属塩の残渣が白い粉状で残り、仕上がり状態が悪くなる。さらに後の塗装工程で塗装不良・塗装剥れなどの問題が起きることもある。
【００４７】
本発明のノンリンス型水溶性洗浄剤組成物において、使用される有機酸の配合割合は、好ましくは、１〜２０重量％であり、より好ましくは、３〜１０重量％である。配合割合が１重量％より少ないと十分な防錆力が得られない。また、配合割合が２０重量％より多いと有機酸の塩となるｐＨ調整用の無機アルカリの量が多くなり、被洗浄物表面に金属塩の残渣が白い粉状で残り、仕上がり状態が悪くなる。さらに後の塗装工程で塗装不良・塗装剥れなどの問題が起きることもある。
【００４８】
本発明のノンリンス型水溶性洗浄剤組成物において、使用される無機塩類の配合割合は、好ましくは、０．１〜１０重量％であり、より好ましくは、１〜７重量％である。配合割合が０．１重量％より少ないと十分な洗浄力が得られない。また、配合割合が１０重量％より多いと被洗浄物表面に無機塩の残渣が白い粉状で残り、仕上がり状態が悪くなる。さらに後の塗装工程で塗装不良・塗装剥れなどの問題が起きることもある。
【００４９】
本発明のノンリンス型水溶性洗浄剤組成物において、使用される無機アルカリの配合割合は、３重量％水溶液のｐＨが８〜１２．５の範囲になるように調整添加する。
【００５０】
本発明のノンリンス型洗浄剤組成物には、必要に応じて、防腐剤、界面活性剤、消泡剤等の各種添加剤を、洗浄・防錆効果、排水処理性を損なわない範囲で適宜加えることができる。
【００５１】
防腐剤としては、トリアジン系、イソチアゾリン系又はフェノール系等が代表的であるが、具体的には、トリアジン系としては、ヘキサヒドロ−１，３，５−トリス（２−ヒドロキシエチル）−１，３，５−トリアジン等が挙げられる。イソチアゾリン系としては、１，２−ベンゾイソチアゾリン−３−オン、５−クロロ−２−メチル−４−イソチアゾリン−３−オン、２−メチル−イソチアゾリン−３−オン等が挙げられる。フェノール系としては、オルトフェニルフェノール、２，３，４，６−テトラクロロフェノール等が挙げられる。
【００５２】
界面活性剤としては、ブロックタイプのポリオキシアルキレングリコール（ポリオキシエチレンポリオキシプロピレンブロックポリマー等）等の非イオン性界面活性剤が挙げられる。
【００５３】
消泡剤としては、ポリオキシプロピレン、ポリオキシブチレン等のポリオキシアルキレン系消泡剤が挙げられる。
【００５４】
本発明のノンリンス型水溶性洗浄剤組成物は、水溶液状であり、その元々の濃度及び洗浄時に求められる性能に応じて、適宜水を用いて希釈して使用することができる。使用時における、本発明のノンリンス型水溶性洗浄剤組成物の濃度は、好ましくは、希釈後の水溶液の全量１００重量部に対して０．１〜３０重量％であり、より好ましくは、１〜１０重量％である。
【００５５】
本発明のノンリンス型水溶性洗浄剤組成物の３重量％水溶液のｐＨは、上記にも示したが、好ましくは８〜１２．５、より好ましくは９〜１２である。十分な防錆性を得るにはｐＨが８以上であることが好ましく、手荒れの原因となる皮膚刺激性や、廃棄物処理における特定管理産業廃棄物たる廃アルカリの処理等を考慮すると、ｐＨが１２．５以下であることが望ましいためである。
【実施例】
【００５６】
以下、実施例に基づいて本発明について詳細に説明するが、本発明はこれらに限定されるのではない。
【００５７】
（実施例１〜７）
表１に示した組成で実施例１〜７の洗浄剤を調製（単位：重量％）した。それぞれの３重量％水溶液を用いて洗浄性及び防錆性を評価した。評価結果を表１に示した。
【００５８】
洗浄性の評価方法
キシレン及びアセトンで脱脂洗浄した冷間圧延鋼板（材質：ＳＰＣＣ−ＳＤ，サイズ：１×７０×１５０ｍｍ）に不水加工油を塗布し１昼夜自然乾燥させたものを洗浄用テストピースとした。洗浄液を５０℃に加熱し、３ｋｇｆ／ｃｍ２の圧力で片面ずつ１０秒間スプレー洗浄した。
【００５９】
洗浄性評価基準（洗浄前後のテストピース重量から算出した洗浄率）
◎：９８％以上
○：９５％以上９８％未満
△：９０％以上９５％未満
×：９０％未満
【００６０】
防錆性の評価方法
鋳鉄板（材質：ＦＣ２００，サイズ：５×５０×７０ｍｍ）を＃６０の研磨布で研磨した。研磨した鋳鉄板をキシレン及びアセトンで脱脂し、３重量％に調整した洗浄剤希釈液に浸漬した。３分間静置した後鋳鉄板を引き上げて、表面をエアブローで乾燥させた。その後、気温２０〜３０℃（６時間ごとに５℃ずつ切替ながらサイクル）、湿度９０％一定の恒温恒湿槽に静置し、点錆の発生状況を観察した。
【００６１】
防錆性評価基準
◎：点錆の数が０個
○：点錆の数が１〜９個
△：点錆の数が１０〜４９個
×：点錆の数が５０個以上（全面発錆も含む）
【００６２】
【表１】
2008133363.tif 000010
【００６３】
（比較例１〜４）
表２に示した組成で比較例１〜４の洗浄剤を調製（単位：重量％）した。それぞれの３重量％水溶液を用いて実施例と同様の方法で洗浄性と防錆性を評価した。評価結果を表２に示した。
【００６４】
【表２】
2008133363.tif 000011
【００６５】
表１、表２中の非イオン性界面活性剤は、三洋化成工業社製ＮＮ−６１（ポリオキシエチレンポリオキシプロピレングリコールブロックポリマー）を用いた。
【００６６】
以上の結果から排水処理に負荷がかかる窒素を多く含むアミン類を含まなくても、式（I）で表される化合物と有機酸と無機塩類と無機アルカリを含むことによって、アミン類を含有するノンリンス型水溶性洗浄剤と同等の洗浄性、防錆性が得られる。ノンリンス型水溶性洗浄剤で洗浄後、通常約３日で次工程（塗装等）へ移るため、３日後無発錆で十分な防錆性を有している。式（I）で表される化合物を含まず、有機酸と無機塩類と無機アルカリを含む系では洗浄性は十分であるが、防錆性が不十分である。有機酸を含まず、式（I）で表される化合物と無機塩類と無機アルカリを含む系でも洗浄性は十分であるが、防錆性が不十分である。無機塩類を含まず、式（I）で表される化合物と有機酸と無機アルカリを含む系では防錆性は十分であるが、洗浄性が不十分である。